(57)【特許請求の範囲】
【請求項１】
画像信号及び同期信号を含むアナログの映像信号をサンプリングしてデジタルの画像データを生成し、生成された画像データを用いて画像を表示する画像表示装置の制御方法であって、
前記映像信号に必ずしも同期しないサンプリングクロックに基づいて同期信号及び画像信号をサンプリングするステップと、
前記サンプリングされた同期信号から、前記映像信号に対する前記サンプリングクロックの時間差に対応する第一の位相を求めるステップと、
前記サンプリングステップでサンプリングされた画像データを受けて、前記サンプリングステップにおいて仮に異なる位相でサンプリングが行われた場合に得られる画像データと等価なリサンプリング画像データを生成するステップと、
前記生成されたリサンプリング画像データから特徴量を抽出するステップと、
リサンプリング画像データの特徴量に基づいて画像の表示に最適なリサンプリングの周期及び位相シフト量を決定するステップと、
前記第一の位相、前記リサンプリングの周期及び位相シフト量に基づいてリサンプリングのための位相制御を行うステップと
を有することを特徴とする画像表示装置の制御方法。
【請求項２】
画像信号及び同期信号を含むアナログの映像信号をサンプリングしてデジタルの画像データを生成し、生成された画像データを用いて画像を表示する画像表示装置の制御方法であって、
前記映像信号に必ずしも同期しないサンプリングクロックに基づいて同期信号及び画像信号をサンプリングするステップと、
前記サンプリングされた同期信号から前記映像信号に対する前記サンプリングクロックの時間差に対応する第一の位相を求めるステップ、
前記サンプリングステップでサンプリングされた画像データを受けて、前記サンプリングステップにおいて仮に異なる位相でサンプリングが行われた場合に得られる画像データと等価な第一のリサンプリング画像データを生成するステップと、
前記第一のリサンプリング画像データから特徴量を抽出するステップと、
前記第一のリサンプリング画像データの特徴量に基づいて第二のリサンプリング画像データのリサンプリングの周期及び位相シフト量を決定するステップと、
前記第一の位相、前記リサンプリングの周期及び位相シフト量に基づいて前記第二のリサンプリングのための位相制御を行うステップと
を有することを特徴とする画像表示装置の制御方法。
【請求項３】
前記サンプリングされた画像データの一部を記憶し、読み出すステップをさらに有し、
前記第一のリサンプリングが、前記記憶された画像データを受けて行われることを特徴とする請求項２記載の画像表示装置の制御方法。
【請求項４】
前記第一の位相を求めるステップにおいて、前記サンプリングされた同期信号の値が所定の閾値を通過する点の直前及び直後のサンプリング点のサンプル値と、閾値とに基づいて、前記第一の位相を求めることを特徴とする請求項１又は２に記載の画像表示装置の制御方法。
【請求項５】
前記第一の位相を求めるステップにおいて、
Δ＝(Ｌｓ−Ｓｊ）／（Ｓｊ−１−Ｓｊ）      …（１）
（ここで、Δは前記第一の位相、Ｌｓは、前記所定の閾値、Ｓｊ−１、Ｓｊは、同期信号の値が前記閾値を通過する点の直前及び直後のサンプリング点のサンプル値である）
に基づいて前記第一の位相を求めることを特徴とする請求項４に記載の画像表示装置の制御方法。
【請求項６】
リサンプリングの周期を変化させて、リサンプリングの周期の変化と、特徴量の変化の関係を調べ、特徴量の変化に周期性が検出されるリサンプリングの周期を、最適なリサンプリングの周期として採用することを特徴とする請求項１又は２に記載の画像表示装置の制御方法。
【請求項７】
前記最適なリサンプリングの周期において、特徴量とリサンプリングの位相との関係から、最適なリサンプリングの位相を求めることを特徴とする請求項６に記載の画像表示装置の制御方法。
【請求項８】
画像信号及び同期信号を含むアナログの映像信号をサンプリングしてデジタルの画像データを生成して、生成された画像データを用いて画像を表示する画像表示装置であって、
前記映像信号に必ずしも同期しないサンプリングクロックを生成するクロック発生部と、
前記クロック発生部が発生したサンプリングクロックに基づいて前記映像信号に含まれる画像信号と同期信号をサンプリングするＡ／Ｄ変換部と、
前記Ａ／Ｄ変換部によってサンプリングされた同期信号から、前記映像信号に対する前記サンプリングクロックの時間差に対応する第一の位相を求める同期処理部と、
前記Ａ／Ｄ変換部によってサンプリングされた画像データを受けて、前記Ａ／Ｄ変換部が仮に異なる位相でサンプリングした場合に得られる画像データと等価なリサンプリング画像データを生成する第一のデジタルフィルタと、
前記生成された第一のリサンプリング画像データから特徴量を抽出する特徴量検出部と、
前記同期処理部で求めた第一の位相と前記特徴量検出部が検出した特徴量に基づいて前記第一のデジタルフィルタのリサンプリングの位相を制御する位相制御部と、
前記第一のデジタルフィルタが出力するリサンプリング画像データを表示する表示部と
を備えたことを特徴とする画像表示装置。
【請求項９】
前記デジタルフィルタは、前記映像信号の有する信号帯域のおおよそ１．５倍の周波数まで平坦な周波数特性及び平坦な群遅延特性を有することを特徴とする請求項８に記載の画像表示装置。
【請求項１０】
前記サンプリングされた画像データの一部を記憶する記憶部をさらに備え、
前記デジタルフィルタは、前記サンプリングされた画像データと前記記憶部に記憶された画像データのいずれか一方を選択してリサンプリング画像データを生成し、
前記特徴量検出部は、前記デジタルフィルタが前記記憶部に記憶された画像データを選択して生成したリサンプリング画像データを用いて特徴量を検出する
ことを特徴とする請求項８に記載の画像表示装置。
【請求項１１】
画像信号及び同期信号を含むアナログの映像信号をサンプリングしてデジタルの画像データを生成して、生成された画像データを用いて画像を表示する画像表示装置であって、
前記映像信号に必ずしも同期しないサンプリングクロックを生成するクロック発生部と、
前記クロック発生部が発生したサンプリングクロックに基づいて前記映像信号に含まれる画像信号と同期信号をサンプリングするＡ／Ｄ変換部と、
前記Ａ／Ｄ変換部によってサンプリングされた同期信号から、前記映像信号に対する前記サンプリングクロックの時間差に対応する第一の位相を求める同期処理部と、
前記Ａ／Ｄ変換部によってサンプリングされた画像データの一部を記憶する記憶部と、
前記記憶部に記憶された画像データを受けて、前記Ａ／Ｄ変換部が仮に異なる位相でサンプリングした場合に得られる画像データと等価な第一のリサンプリング画像データを生成する第一のデジタルフィルタと、
前記Ａ／Ｄ変換部によってサンプリングされた画像データを受けて、前記Ａ／Ｄ変換部が仮に異なる位相でサンプリングした場合に得られる画像データと等価な第二のリサンプリング画像データを生成する第二のデジタルフィルタと、
前記第一のデジタルフィルタによって生成された第一のリサンプリング画像データから特徴量を抽出する特徴量検出部と、
前記同期処理部で求めた第一の位相と前記特徴量検出部によって検出された第一のリサンプリング画像データの特徴量に基づいて前記第二のデジタルフィルタのリサンプリングの位相制御を行う位相制御部と、
前記第二のデジタルフィルタが出力する第二のリサンプリング画像データを表示する表示部と
を備えたことを特徴とする画像表示装置。
【請求項１２】
前記位相制御部が、
前記同期処理部で求めた第一の位相と前記特徴量検出部が検出した特徴量に基づいて前記第一のデジタルフィルタのリサンプリングの位相を指定する信号を生成し、この信号により前記第一のデジタルフィルタを制御する位相調整部と、
前記位相調整部が生成するする信号を保持し、前記第二のデジタルフィルタに供給することにより、前記第二のデジタルフィルタのリサンプリングの位相を制御する位相保持部と
を有することを特徴とする請求項１１に記載の画像表示装置。
【請求項１３】
前記同期処理部は、前記サンプリングされた同期信号の値が所定の閾値を通過する点の直前及び直後のサンプリング点のサンプル値と、閾値とに基づいて、前記第一の位相を求めることを特徴とする請求項８又は１１に記載の画像表示装置。
【請求項１４】
前記同期処理部は、
Δ＝(Ｌｓ−Ｓｊ）／（Ｓｊ−１−Ｓｊ）      …（１）
（ここで、Δは前記第一の位相、Ｌｓは、前記所定の閾値、Ｓｊ−１、Ｓｊは、同期信号の値が前記閾値を通過する点の直前及び直後のサンプリング点のサンプル値である）
に基づいて前記第一の位相を求めることを特徴とする請求項１３に記載の画像表示装置。
【請求項１５】
前記同期処理部は、リサンプリングの周期を変化させて、リサンプリングの周期の変化と、特徴量の変化の関係を調べ、特徴量の変化に周期性が検出されるリサンプリングの周期を、最適なリサンプリングの周期として採用することを特徴とする請求項８又は１１に記載の画像表示装置。
【請求項１６】
前記最適なリサンプリングの周期において、特徴量とリサンプリングの位相との関係から、最適なリサンプリングの位相を求めることを特徴とする請求項１５に記載の画像表示装置。
【発明の詳細な説明】
【技術分野】
【０００１】
本発明は、画像表示装置の制御方法及び画像表示装置に関する。本発明は特に、アナログの映像信号を適正な周期、位相でサンプリングして表示する画像表示装置の制御方法及び画像表示装置に係わる。
【背景技術】
【０００２】
液晶パネルやプラズマディスプレイパネルなどをはじめとするフラットパネル型の表示デバイスは、薄型・軽量であり、テレビジョン受信機、コンピュータのディスプレイ装置の表示部等の表示装置として広く用いられている。また、投射型のデータプロジェクターやプロジェクションテレビでも液晶やＤＭＤと呼ばれるマイクロデバイスが、表示デバイスとして普及している。さらには、ＬＥＤを用いた大型の表示装置、小型表示装置向けの有機ＥＬなども普及が始まっている。これら１画素の構造があらかじめ決まっているマトリクス形表示装置では、入力される画像信号がアナログ信号の場合、Ａ／Ｄ変換器を用いてデジタルデータに変換した上で表示する必要がある。一般にアナログの映像信号には、信号をサンプリングするためのクロックは付随していないため、受信側でサンプリングクロックを発生する必要がある。このサンプリングクロックの周波数は、入力された映像信号の種類に応じて適切に定めなければならない。また、パーソナルコンピュータの映像出力信号のように、デジタル画像をアナログに変換して作られたような映像信号は、画素ごとに明るさのレベルが変化しているため、１画素の中央付近でサンプリングしなければ、映像のにじみが発生してしまうことがある。
【０００３】
上記の理由で、サンプリングクロックの周波数のみならず位相を、入力された映像信号に対して最適にする必要があるが、伝送経路にあるケーブルやコネクターあるいは受動素子や能動素子によって、様々な遅延、波形の乱れが発生するため、あらかじめ周波数や位相を決めておくことができないと言う問題がある。これらサンプリングクロックの周波数と位相を調整するための方法が、以下に示す特許文献に開示されている。
【０００４】
【特許文献１】特開平７−２１９４８５号公報
【特許文献２】特開平９−１４９２９１号公報
【特許文献３】特許第３４８６３４３号公報
【特許文献４】特許第３５８６１１６号公報
【特許文献５】特開２００１−１６６７６６号公報
【特許文献６】特開平１１−１１９７２３号公報
【０００５】
上記の文献のいずれにもサンプリングされた画像データの特徴に基づいてサンプリングクロックの周波数と位相を調整する方法が開示されており、画像データの特徴としてフレーム間の映像信号の相関（特許文献１）、異なる位相でサンプリングされた画像データの自己相関（特許文献２）、隣接画素の差分（特許文献３、特許文献４、特許文献５）、有効映像期間の平均輝度（特許文献６）が用いられる。
【発明の開示】
【発明が解決しようとする課題】
【０００６】
上記の文献によって開示された方法によれば、位相を変えながらサンプリングされた画像データを用いて特徴量を求め、その特徴量に基づいて位相が調整されるため、位相を変えながら行われる特徴量の検出に複数のフレームが必要であり、調整中に映像が変化してしまうと画像データの比較ができなくなるため、正しく位相を調整することができないという問題がある。
【０００７】
また、調整されたサンプリングクロックと映像信号の関係は、クロック発生器（ＰＬＬ）やＡ／Ｄ変換器の温度特性、あるいは、映像信号発生装置側の温度特性などによって変化する。たとえば１２８０画素×１０２４画素や１６００画素×１２００画素などの最近の高解像度の映像信号では、１クロックの周期が短くなっており、わずかな位相の変化が映像の乱れとして表示されるため、温度の変化にともなって位相を再調整する必要がある。上記文献の方法では、位相の再調整が必要であるかを調べたり、位相の再調整中にサンプリング周波数や位相の変更に伴う映像の乱れが表示されるのを容認するか、あるいは調整期間中は映像の表示を停止する必要があった。
【０００８】
本発明は、上記の問題に鑑みてなされたものであり、単一の位相でサンプリングされた画像データに基づいて位相の調整を行うことで、１フレーム以下の映像信号で位相調整が可能であり、映像がフレーム毎に変化するような動画像であってもサンプリングクロックの位相を調整することが可能な画像表示装置を提供することを目的とする。
【０００９】
また、サンプリングクロックの位相調整中であっても画像を乱れなしに表示することが可能な画像表示装置を提供することを目的とする。
【課題を解決するための手段】
【００１０】
本発明は、
画像信号及び同期信号を含むアナログの映像信号をサンプリングしてデジタルの画像データを生成し、生成された画像データを用いて画像を表示する画像表示装置の制御方法であって、
前記映像信号に必ずしも同期しないサンプリングクロックに基づいて同期信号及び画像信号をサンプリングするステップと、
前記サンプリングされた同期信号から、前記映像信号に対する前記サンプリングクロックの時間差に対応する第一の位相を求めるステップと、
前記サンプリングステップでサンプリングされた画像データを受けて、前記サンプリングステップにおいて仮に異なる位相でサンプリングが行われた場合に得られる画像データと等価なリサンプリング画像データを生成するステップと、
前記生成されたリサンプリング画像データから特徴量を抽出するステップと、
リサンプリング画像データの特徴量に基づいて画像の表示に最適なリサンプリングの周期及び位相シフト量を決定するステップと、
前記第一の位相、前記リサンプリングの周期及び位相シフト量に基づいてリサンプリングのための位相制御を行うステップと
を有することを特徴とする画像表示装置の制御方法を提供する。
【発明の効果】
【００１１】
本発明に係る画像表示装置の制御方法によれば、映像信号に必ずしも同期しないサンプリングクロックに基づいて同期信号及び画像信号をサンプリングし、サンプリングされた同期信号から前記映像信号に対する前記サンプリングクロックの時間差に対応する第一の位相を求め、サンプリングされた画像信号を受けて、前記Ａ／Ｄ変換部が仮に異なる位相でサンプリングした場合に得られる画像データと等価な第一のリサンプリング画像データを生成し、生成された第一のリサンプリング画像データから特徴量を検出し、前記第一の位相と前記検出された特徴量から表示するリサンプリング画像データの位相を制御することにより、高速に位相調整を行うことが可能になるので、調整中に映像が変化することがなくなり、動画のように随時映像が変化するような場合であっても正しく位相を調整することができる。
【発明を実施するための最良の形態】
【００１２】
実施の形態１．
図１は、本発明に係る画像表示装置の構成を示すブロック図である。入力端子１から同期信号及び画像信号で構成される映像信号が入力される。映像信号には、様々なフォーマットがあるが、ここでは、画像信号と同期信号が重畳された複合映像信号である場合を用いて説明する。入力端子１に入力された映像信号は、Ａ／Ｄ変換器２に入力される。一方、クロック発生部３は、入力端子１に入力された映像信号をＡ／Ｄ変換器２でデジタルデータに変換するためのサンプリングクロックを発生する。クロック発生部３が発生するサンプリングクロックの周波数は、入力端子１に入力された映像信号の信号帯域より高い周波数であり、信号帯域に対して１．５倍程度以上の周波数であることが望ましい。また、サンプリングクロックは、入力端子１から入力される映像信号（特にその画像信号）と必ずしも同期しないものである。
【００１３】
クロック発生部３が発生したサンプリングクロックは、Ａ／Ｄ変化部２に入力され、Ａ／Ｄ変換器２は、入力端子１に入力された映像信号をデジタルの画像データに変換する。Ａ／Ｄ変換器２から出力される画像データは、第一のデジタルフィルタ４と同期処理部５に入力される。
【００１４】
同期処理部５は、入力された画像データから同期信号（Ｖｓｙｎｃ，Ｈｓｙｎｃ）を分離する。分離された同期信号は、水平同期信号Ｈｓｙｎｃと垂直同期信号Ｖｓｙｎｃで構成され、例えば、表示すべき画像データの位置を特定して正しく画像を表示するための画像表示装置全体の表示タイミング制御に用いられる。
【００１５】
同期処理部５では、映像信号から分離された水平同期信号Ｈｓｙｎｃを閾値Ｌｓと比較し、映像信号（例えばその水平同期信号Ｈｓｙｎｃ）に対するサンプリングクロックの時間差に対応する第一の位相Δを求める。閾値Ｌｓは例えば水平同期信号Ｈｓｙｎｃのピーク値の１／２の値に設定される。図２は、分離された水平同期信号と閾値の関係の一例を示す図で、映像信号の１ラインのうち、水平同期信号Ｈｓｙｎｃの立ち下がり部分を示したものである。図２では、水平方向が時間、あるいは、水平位置を示し、縦軸が信号のレベルを示している。図中、白丸がＡ／Ｄ変換器２でサンプリングされたデータ（そのうちの幾つかのものに符号Ｓｊ−３、Ｓｊ−２、Ｓｊ−１、Ｓｊ、Ｓｊ＋１、Ｓｊ＋２が付されている）を示し、Ｌｓが閾値のレベルを示している。なお、符号Ｓｊ−３、Ｓｊ−２、Ｓｊ−１、Ｓｊ、Ｓｊ＋１、Ｓｊ＋２などは、サンプリング点を表すのにも用いられる。
【００１６】
図２には、サンプリングされた同期信号の値がサンプリング点Ｓｊ−１からＳｊの期間に閾値Ｌｓを通過する点Ｐが示されている。ここで、「サンプリングされた同期信号の値がサンプリング点Ｓｊ−１からＳｊの期間に閾値Ｌｓを通過する」とは、相前後するサンプリング点のうち、先のサンプリング点Ｓｊ−１のサンプルデータの値が、閾値Ｌｓよりも高く、後のサンプリング点Ｓｊのサンプルデータの値が閾値Ｌｓよりも低いことを意味する。（なお、水平同期信号Ｈｓｙｎｃの立ち上がり部分でサンプリングクロックに対する位相を検出する場合には、「サンプリングされた同期信号の値がサンプリング点Ｓｊ−１からＳｊの期間に閾値Ｌｓを通過する」とは、相前後するサンプリング点のうち、先のサンプリング点Ｓｊ−１のサンプルデータの値が、閾値Ｌｓよりも低く、後のサンプリング点Ｓｊのサンプルデータの値が閾値Ｌｓよりも高いことを意味する。）
【００１７】
同期信号処理部５は、上記の通過点Ｐの直前に位置するサンプリング点のデータＳｊ−１及び通過点Ｐの直後に位置するサンプリング点のデータＳｊの値と閾値Ｌｓに基づいて以下の式（１）を用いて第一の位相Δを求める。
Δ＝(Ｌｓ−Ｓｊ）／（Ｓｊ−１−Ｓｊ）      …（１）
【００１８】
前述したとおりクロック発生部３が発生するサンプリングクロックは、映像信号の信号帯域より高く、また、位相も映像信号と必ずしも同期していないため、通過点Ｐの両側に位置するサンプリング点のデータＳｊ−１及びＳｊの値は、ライン毎に変化する。従って同期処理部５が出力する第一の位相Δもライン毎に変化することになる。図３は、同期処理部５が出力する第一の位相Δの変化の一例を示す図で、水平方向ｈは、Ａ／Ｄ変換器２のサンプリング点、垂直方向ｖは、映像信号の垂直位置（水平の線が１ラインを示す）を表し、ＰｉからＰｉ＋３は水平同期信号の値が閾値Ｌｓを通過する点である。図３では、Ｐｉは、Ｓｊ−１（Ｐｉの直前にあるサンプリング点）に近い位置、Ｐｉ＋１は、Ｓｊ（Ｐｉ＋１の直後にあるサンプリング点）に近い位置、Ｐｉ＋２はＳｊ−１（Ｐｉ＋２の直前にあるサンプリング点）とＳｊ（Ｐｉ＋２の直後にあるサンプリング点）の中央付近にある場合が示されている。
【００１９】
図３に示したとおり、同期処理部５が出力する第一の位相Δ（図３のΔｉからΔｉ＋３）は、ライン毎の位相の変化を示しているので、この第一の位相Δを用いることでＡ／Ｄ変換器２でサンプリングされた画像データのライン毎の位相が得られることになる。
【００２０】
以上のように求められた第一の位相Δは、水平ＡＦＣ６に入力され、水平ＡＦＣ６は、例えばノイズや映像信号そのものの乱れで水平周期の周期性が乱れた場合に求めたΔが急激に変化することを防ぐように処理し、安定した第一の位相Δ’を位相制御部７に出力する。この水平ＡＦＣ６は、水平周期の乱れに対して安定的に表示するためのものであるので、映像信号の周期性に乱れが生じないような場合には、設けなくても良い。
【００２１】
第一のデジタルフィルタ４は、入力されたデジタルの映像信号の位相をシフトさせる。この位相のシフトは、Ａ／Ｄ変換器２のサンプリング位相をずらした場合と等価なデータ、即ち、Ａ／Ｄ変換部２が仮に異なる位相でサンプリングした場合に得られる画像データと等価なリサンプリング画像データを得るためのものである。位相のシフト量は、位相制御部７が出力する制御量θ（ｎ）により決定されるが、詳細については、後述する。
【００２２】
デジタルフィルタ４は、上記のような位相シフトに用いられる場合、それぞれのフィルタ係数の組をどのように定めた場合にも、その周波数特性及び群遅延が、サンプリング周波数まで比較的平坦（フラット）であること必要である。
【００２３】
図４及び図５は、第一のデジタルフィルタ４に用いられる振幅特性と群遅延特性の例を示す図で、図４の横軸が周波数、縦軸が振幅を示し、図５の横軸が周波数、縦軸が遅延時間を示している。ｆｓは、Ａ／Ｄ変換器２のサンプリング周波数で、振幅特性、群遅延特性ともサンプリング周波数ｆｓまでは、ほぼ平坦な特性を示している。
【００２４】
図４及び図５の特性を得るためのフィルタ係数（それぞれのタップに与える係数）の一例を以下の図６に示す。図６の表は、Ａ／Ｄ変換器２のサンプリング周期に対して３２段の位相シフトが可能な係数の組み合わせを示したものでδ０からδ３１がそれぞれの位相を示し、ｈ０からｈ１３がフィルタの係数を示している。なお、さらに細かく位相をシフトする必要がある場合は、位相方向の段数を増やし（フィルタ係数の組み合わせの数を増やし）、簡易にする場合は、段数を減らすことも可能で、要求される表示品位を勘案の上、任意の段数を選択することができる。また、図６では、デジタルフィルタ４が１４タップの場合のフィルタ係数について示したが、これに限るものではなく、図４及び図５に示した振幅特性及び群遅延特性より精度の高い（サンプリング周波数ｆｓまでの平坦度が高い）フィルタを構成する場合は、タップ数を増やし、フィルタに要求される精度がそれほど高くない場合は、タップ数を減らすことも可能で、所望の特性に応じて任意のタップ数を選択することができる。
【００２５】
この第一のデジタルフィルタ４は、位相制御部７が出力する位相θ（ｎ）に基づいて入力された画像データの位相をシフトして、リサンプリング画像データを出力する。
【００２６】
次に、位相制御部７の動作について説明する。
位相制御部７は、水平ＡＦＣ６が出力する第一の位相Δ’、位相制御部７の内部で発生する位相ｋ、位相シフトの段数ｑ、位相シフト一段分の時間Ｔｋ、及びリサンプリング周期Ｔを元に以下の式（２Ａ）を用いてリサンプリング位相θ（ｎ）を算出する。
θ（ｎ）＝Δ’＋ｋ／ｑ＋ｎＴ
（ｋ＝０，１，２，３・・・Ｔ／Ｔｋ）      …（２Ａ）
【００２７】
ここで、ｎは、水平同期信号から数えたデータの番号、即ち水平同期信号から数えてｎ番目のデータであることを表す。
本例では、位相シフトの段数が３２であるので、θ（ｎ）の算出には下記の式（２Ｂ）が用いられる。
θ（ｎ）＝Δ’＋ｋ／３２＋ｎＴ      …（２Ｂ）
【００２８】
リサンプリング周期Ｔは、例えば、入力された映像信号の画素を構成するドットクロックの周波数に対してＡ／Ｄ変換器２で１．５倍の周波数でサンプリングしたとすると、リサンプリング周期Ｔは、ドットクロックの周期の１．５倍となる。これは、入力された映像信号をそのドットクロックの１．５倍の周波数（１／１．５の周期）でサンプリングされた画像データ(Ａ／Ｄ変換器２の出力）、すなわち実際の画素数より１．５倍の画素数としてサンプリングされた画像データを、元の画素数に変換（縮小）する動作である。
【００２９】
なお、前述したとおり、サンプリングの周波数は、１．５倍に限るものではないので、このリサンプリング周期Ｔも実際のサンプリング周期にあわせて計算されるものとする。
【００３０】
上記のように、位相制御部７は、最初は内部発生する位相ｋを０とし、サンプリングの度にｎを１ずつ増加させ、それぞれにｎに対するθ（ｎ）の値を下記の式（３）により計算して出力する。ｎの値は、例えば水平同期信号が検出されると０にリセットされる。
θ（ｎ）＝Δ’＋０／３２＋ｎＴ      …（３）
（ｎ＝０，１，２，３・・・）
【００３１】
第一のデジタルフィルタ４は、位相制御部７が出力した位相制御信号θ（ｎ）からリサンプリング位置を決定し、リサンプリングされた画像データを出力する。リサンプリングの位置は、水平同期信号からの画像データの番号Ｎと隣接する画像データの内分点である位相δで表され、以下の式（４）、（５）を用いることができる。
Ｎ＝ＩＮＴ（θ（ｎ）／Ｔｓ）      …（４）
δ＝θ（ｎ）  ｍｏｄ  Ｔｓ      …（５）
ここで、任意の変数ｘ、ｙに対し、ＩＮＴ（ｘ）は、ｘの整数部、ｘ  ｍｏｄ  ｙは、ｘをｙで割った余りを意味している。Ｔｓは、Ａ／Ｄ変換器２のサンプリング周期である。
求められた位相δが位相シフト量として第一のデジタルフィルタ４の制御に用いられる。
【００３２】
このように第一のデジタルフィルタ４は、位相制御部４が出力する位相制御信号θ（ｎ）にしたがって、画像データの番号Ｎと位相シフト量δを求め、Ｎによりフィルタに用いられる画素の位置を決定し、位相シフト量δによって図６に示したように使用されるフィルタの係数を選択することで、入力された画像データのリサンプリングを行い、その結果として得られるリサンプリング画像データを特徴量検出部８及び表示部９に出力する。
【００３３】
特徴量検出部８は、入力されたリサンプリング画像データからｋ＝０のときの特徴量を検出し、位相制御部７に出力する。位相制御部７は、特徴量検出部８が出力したｋ＝０のときの特徴量を保持する。
【００３４】
次に位相制御部７は、ｋ＝１のときの位相制御信号θ（ｎ）を前述の動作と同様に下記の式（６）により求めて、第一のデジタルフィルタ４に出力する。
θ（ｎ）＝Δ’＋１／３２＋ｎＴ      …（６）
【００３５】
第一のデジタルフィルタ４は、位相制御部４が出力する位相制御信号θ（ｎ）に基づいて、入力された画像データのリサンプリングを行い、リサンプリング画像データを特徴量検出部８と表示部９に出力する。ｋ＝１の場合のリサンプリング位置は、ｋ＝０のときのリサンプリング位置に対してＴｓ／３２だけ位相がずれている。
【００３６】
特徴量検出部８は、ｋ＝１のときにリサンプリングされたリサンプリング画像データの特徴量を検出し、位相制御部７に出力する。位相制御部７は、ｋ＝０のときと同様に特徴量検出部８が出力したｋ＝１のときのリサンプリング画像データの特徴量を保持する。
【００３７】
上記の動作をＴ／Ｔｋまで繰り返し、位相制御部７は、すべてのｋの値に対して特徴量を保持する。位相シフトの段数が３２で、１．５倍のサンプリングのとき、この回数は、位相シフトの段数×１．５で４７であり、入力された映像信号の画素クロックの周期に相当する。
【００３８】
最後に位相制御部７は、保持した特徴量から表示に適したｋを決定し、以降決定したｋに基づいて位相制御信号θ（ｎ）を第一のデジタルフィルタ４に出力する。
【００３９】
第一のデジタルフィルタ４は、位相制御部７が出力した位相制御信号θ（ｎ）に基づいて入力された画像データをリサンプリングしてリサンプリング画像データを表示部９に出力する。表示部９は、入力されたリサンプリング画像データを所定のタイミングで表示する。
【００４０】
次に第一のデジタルフィルタ４、位相制御部７、特徴量検出部８における、位相調整の動作についてさらに説明する。
【００４１】
図７は特徴量検出部８の一例を示す図である。図示の特徴検出部８は、絶対差分演算器１０と、最大値検出器１１とを有する。絶対差分演算器１０は、画像の水平（主走査）方向に隣接する２画素の画像データの差分の絶対値（以降、絶対差分と略す）を計算する最大値検出器１１は絶対差分演算器１０で算出した絶対差分から所定の期間（例えば１ライン分のサンプリングに要する期間）における最大値を検出する。
【００４２】
この発明の画像表示装置における位相調整の動作として、入力される映像信号がパーソナルコンピュータ（ＰＣ）のような、複数のフォーマットを出力可能な映像出力装置から出力された場合について説明する。ＰＣが出力する映像信号のフォーマットは、例えばＶＥＳＡ（Ｖｉｄｅｏ  Ｅｌｅｃｔｒｏｎｉｃｓ  Ｓｔａｎｄａｒｄ  Ａｓｓｏｃｉａｔｉｏｎ）などに定められており、位相制御部７は、これら複数の映像信号フォーマットに対して適したリサンプリング周期Ｔをあらかじめ記憶しておく。
【００４３】
これまで説明したとおり、本発明の実施の形態１における画像表示装置では、入力された映像信号をＡ／Ｄ変換器２でサンプリングする際のサンプリングクロックの周期は、固定であり、入力映像信号の最適なサンプリング周期は、位相制御部７に記憶したリサンプリング周期Ｔに基づいた第一のデジタルフィルタ４のリサンプリングによって実現される。
【００４４】
入力された映像信号のフォーマットは、未知であるので、まず、位相制御部７は、記憶している複数の（ｍ個の）リサンプリング周期Ｔ１〜Ｔｍのうちの第一のものＴ１を用いてリサンプリングを行う。
【００４５】
Ａ／Ｄ変換手段２から出力された画像データに対しては、前述したとおり第一のデジタルフィルタ４で位相制御部７が出力する位相制御信号θ（ｎ）に基づいてフィルタ処理が行われる。このとき（最初は）位相制御部５で用いるｋは０とされている。第一のデジタルフィルタ４から出力されるリサンプリングされた画像データは、特徴量検出部８の絶対差分演算器１０及び最大値検出器１１において、水平方向に隣接する画素の絶対差分の最大値が検出される。最大値検出器１１で検出された絶対差分の所定期間中の最大値は、位相制御部７に出力され、位相制御部７は、入力された絶対差分の所定期間中の最大値をｋ＝０のときの特徴量として保持する。
【００４６】
次に、位相制御部７は、ｋ＝１のときの位相制御信号θ（ｎ）を第一のデジタルフィルタ４に出力し、Ａ／Ｄ変換器２から入力された画像データのリサンプリングを行う。リサンプリングされた画像データは、特徴量検出部８に入力され、ｋ＝０のときと同様に、水平方向に隣接する画素の絶対差分の所定期間中の最大値を検出し、位相制御部７に出力する。位相制御部７に入力された絶対差分の所定期間中の最大値は、ｋ＝１のときの特徴量として保持される。
【００４７】
上記動作は、ｋが選択されているリサンプリング周期Ｔの１周期分に達するまで繰り返す。例えば、第一のデジタルフィルタ４の位相シフトの段数が３２で、リサンプリング周期ＴがＡ／Ｄ変換器２のサンプリング周期の１．５倍のとき、ｋ＝０からｋ＝４７まで繰り返すことになる。
【００４８】
上記のようにして得られた特徴量は、おおよそ図８（ａ）または図８（ｂ）のようになる。図８（ａ）及び（ｂ）は、縦軸に位相制御部７で保持したそれぞれのｋの値に対する特徴量である絶対差分の最大値、横軸がｋである。図８（ａ）は、リサンプリングの周期Ｔ１が入力された映像信号のドットクロックの周期と一致した場合で、特徴量である絶対差分の最大値に極大値または、極小値を有する。一方、リサンプリングの周期Ｔ１と入力された映像信号のドットクロックと一致しない場合は、図８（ｂ）のようにほぼ一定の値となる。このように極大値あるいは極小値の有無により、リサンプリングの周期の妥当性について判断することができる。
【００４９】
リサンプリング周期Ｔ１が妥当でないと判断されるときは、第二のリサンプリング周期Ｔ２に対して同様の動作を行う。
【００５０】
上記動作をリサンプリング周期Ｔが妥当と判断されるまで、記憶されているリサンプリング周期Ｔ１〜Ｔｍの全部又は一部について検出を行う。
【００５１】
リサンプリング周期Ｔが入力された映像信号のドットクロックと一致している場合、位相制御部７に記憶された特徴量は、図８（ａ）のように極大値あるいは極小値を有するので、位相制御部７は、極大値となるｋ、あるいは、２つの極小値の中央付近に相当するｋを最適な位相として選択する。
【００５２】
以上のようにリサンプリングの周期Ｔと位相ｋを決定し、調整動作を終了する。
【００５３】
以降、位相制御部７は、決定したリサンプリングの周期Ｔと位相ｋに基づいて、位相制御信号θ（ｎ）を出力し、第一のデジタルフィルタ４は、位相制御部７が出力する位相制御信号θ（ｎ）に従って、リサンプリングした画像データを表示部９に出力する。
【００５４】
表示部９は、入力された画像データを所定のタイミングで表示する。
【００５５】
なお、上記動作の説明では、ドットクロックの周波数調整の際に、記憶されているリサンプリング周期を用いて正しいリサンプリング周期を検出する場合について示したが、記憶しているリサンプリング周期の中から適したと思われる周期が見つからない場合は、自動調整できなかったことを示す表示を行って、画像信号を変更して再び自動調整させるか、手動による調整を促しても良い。
【００５６】
図９及び図１０は、以上に説明した本実施の形態に係る画像表示装置における処理手順を示すフローチャートである。
【００５７】
まず、図９に示すように、位相制御部７は、リサンプリング周期Ｔに、あらかじめ記憶されている複数個のリサンプリング周期（例えばｍ個のリサンプリング周期Ｔ１乃至Ｔｍ）の中の、第一のリサンプリング周期Ｔ１を設定し（Ｓｔ１）、次に位相ｋを０に設定する（Ｓｔ２）。そして、このようにして設定されたリサンプリングの周期Ｔ及び位相ｋについて特徴量の検出及び保存を行う（Ｓｔ３）。
【００５８】
即ち、図１０（ステップＳｔ３の詳細を示す）のステップＳｔ２１において、クロック発生部３が発生したクロックに基づいてＡ／Ｄ変換器２で映像信号をサンプリングする。そして、同期処理部５は、同期信号の特定の部分がサンプリングされているかどうかの判定を行う（Ｓｔ２２）。即ち、今回（直前のステップＳｔ２１）のサンプリングで得られたデータ（Ｓｊ）と、前回のサンプリングで得られたデータ（Ｓｊ−１）とに基づいて、閾値Ｌｓの通過が起きたかどうかの判定を行う。
【００５９】
同期信号の特定の部分であると判定されたときは（Ｓｔ２２でＹｅｓ）、ステップＳｔ２３に進む。ステップＳｔ２３では、同期処理部５は、Ａ／Ｄ変換器２でサンプリングで得られたデータＳｊ−１及びＳｊから、上記の式（１）により第一の位相Δを算出し（Ｓｔ２３）、そして、パラメータｎを０にし（Ｓｔ２４）、その後ステップＳｔ２６に進む。
【００６０】
ステップＳｔ２２で、サンプリングされた映像信号が同期信号の特定の部分ではないと判定された場合（Ｓｔ２２でＮｏ）には、ステップＳｔ２５でｎに１を加えた後、ステップＳｔ２６に進む。
【００６１】
ステップＳｔ２６では、位相制御部７は、同期処理部５が出力する第一の位相Δ、リサンプリングの周期Ｔ及び位相ｋに基づいて、上記の式（２Ｂ）により位相制御信号θ（ｎ）を算出し、第一のデジタルフィルタ４に出力する。
【００６２】
第一のデジタルフィルタ４は、位相制御部７が出力する位相制御信号θ（ｎ）に基づいて、Ａ／Ｄ変換器２が出力した画像データをリサンプリングする（Ｓｔ２７）。
特徴量検出部８は、第一のデジタルフィルタ４でリサンプリングされた画像データから、水平方向に隣接する画素の絶対差分を検出し、ｎの値に関連づけて保存する（Ｓｔ２８）。
【００６３】
次に、特徴量検出部８は、所定数のサンプリングが行われたかどうか、即ち、ｎが所定数に達したか否かの判定を行い（Ｓｔ２９）、達していなければ(ステップＳｔ２９でＮｏ）、ステップＳｔ２１に戻る。達していれば（ステップＳｔ２９でＹｅｓ）、ステップＳｔ３０に進み、検出された絶対差分（ｎの異なる値に対するそれぞれの絶対差分の値）を元に絶対差分の最大値を、特徴量として検出する。特徴量検出部７で検出された特徴量は位相制御部７に保持される（Ｓｔ３１）。
【００６４】
次に、図９のステップＳｔ４に進み、位相制御部７は、位相ｋがＴ／Ｔｋに達したどうかの判定を行い、達していなければ（Ｓｔ４でＮｏ）は、ｋに１を加算し（Ｓｔ５）、ステップＳｔ３に戻って、新しいｋの値について特徴量の検出及び保存を行う。ステップＳｔ３の処理は、ｋがＴ／Ｔｋに達するまで繰り返される。
【００６５】
ｋがＴ／Ｔｋに達した場合（Ｓｔ４でＹｅｓ）は、保持された特徴量からリサンプリング周期が適正であるか判断し（Ｓｔ６）、適正でない場合（Ｓｔ６でＮｏ）は、最後のサンプリング周期Ｔｍであるかどうかの判定（Ｓｔ７）を行い、最後でなければ、ステップＳｔ８に進み、あらかじめ記憶しているリサンプリング周期Ｔ１〜Ｔｍのなかで次のもの（Ｔ２）を選択し（Ｓｔ８）、ステップＳｔ３に戻り、新たなリサンプリング周期Ｔについての位相ｋのすべての値についての特徴量の検出及び保存の処理（Ｓｔ２〜Ｓｔ５）を繰り返す。
【００６６】
ステップＳｔ７で、最後のサンプリング周期Ｔｍであると判定されたとき、即ち、あらかじめ記憶しているリサンプリング周期の中から適正なサンプリング周期が見つからない場合は（Ｓｔ７でＹｅｓ）、エラー表示等を行って、調整動作を終了する（Ｓｔ９）。
【００６７】
一方、ステップＳｔ６で、リサンプリング周期が適正であると判断された場合（Ｓｔ６でＹｅｓ）は、リサンプリング周期Ｔを決定する（Ｓｔ１０）。即ち、適正と判断されたリサンプリング周期を採用する。そして、保持されている特徴量から最適な位相ｋを選択する（Ｓｔ１１）。
【００６８】
最後に位相制御部７は、最適なリサンプリングの周期Ｔと位相ｋに基づいて、上記の式（２Ｂ）により、位相制御信号θ（ｎ）を出力し、第一のデジタルフィルタ４は、位相制御部７が出力する位相制御信号θ（ｎ）に基づいて、Ａ／Ｄ変換器２が出力する画像データをリサンプリングし、リサンプリングされた画像データが表示部９に出力され、表示動作を行う（Ｓｔ１２）。
【００６９】
上記のうち、ステップＳｔ１、Ｓｔ２、Ｓｔ４、Ｓｔ５、Ｓｔ６、Ｓｔ７、Ｓｔ８、Ｓｔ９、Ｓｔ１０、ＳＴ１１、Ｓｔ１２、Ｓｔ２４、Ｓｔ２５、Ｓｔ２６、Ｓｔ２９の処理は、位相制御部７により行われ、ステップＳｔ２８、Ｓｔ３０、Ｓｔ３１は特徴検出部８で行われ、ステップＳｔ２７は第一のデジタルフィルタ４で行われ、ステップＳｔ２１の処理はＡ／Ｄ変換部２で行われ、ステップＳｔ２２、Ｓｔ２３の処理は同期処理部５で行われる。
【００７０】
従来の画像表示装置では、サンプリングクロック自体を調整していたため、サンプリングクロックの変更に必要な期間及びサンプリングクロックを変更した際に安定するまでの期間が必要であり、調整に多くの期間を必要としていたが、以上図１乃至図１０を参照して説明したように構成することで、Ａ／Ｄ変換器２のサンプリング周波数を一定としても最適なリサンプリングの周期と位相による表示が可能となるので、画像に応じてサンプリングクロック自体の周期と位相を調整する必要が無くなる。そのため、高速にサンプリングの周期と位相調整を行うことが可能になり、動画のように随時映像が変化するような場合であっても正しく調整することができる。
【００７１】
実施の形態２．
図１１は、本発明の実施の形態２における画像表示装置の構成を示す図である。
実施の形態２の画像表示装置は、図１に示される画像表示装置と概して同じであるが、図１では、映像のタイミングを示す同期信号が画像信号に重畳された映像信号（複合映像信号）を受信して表示するのに対し、図１１の構成では、画像信号と同期信号が別の信号として構成された映像信号を受信して表示する点で異なる。
【００７２】
即ち、図１１の入力端子１には、画像信号が入力され、入力端子１から入力された画像信号は、Ａ／Ｄ変換器２に入力される。一方、同期信号は、入力端子１４に入力され、入力端子１４から入力された同期信号は、Ａ／Ｄ変換器１５に入力される。Ａ／Ｄ変換器２及びＡ／Ｄ変換器１５は、クロック発生部３が発生するサンプリングクロックに基づいて、入力された画像信号と同期信号をサンプリングする。
【００７３】
Ａ／Ｄ変換器２でサンプリングされた画像データは、第一のデジタルフィルタ４に入力される。一方、Ａ／Ｄ変換器１５でサンプリングされた同期信号は、同期処理部５に入力される。
【００７４】
その他の動作は、図１と同様であるので、説明を省略する。このように、映像信号が、画像信号と同期信号に別れて構成されている場合は、それぞれの信号に対応したＡ／Ｄ変換器を用意すれば、同様に処理することが可能になる。
【００７５】
実施の形態３．
図１２は、本発明の実施の形態３における画像表示装置の構成を示す図である。
実施の形態３の画像表示装置は、図１に示される画像表示装置と概して同じであるが、図１の画像表示装置を示す図１に対して、記憶部１６、選択部１７及び１８が付加されている。なお、記憶部１６、選択部１７及び１８以外の構成は、実施の形態１と同様で、同一部分には、同じ符号が付されている。
【００７６】
図１２の画像表示装置では、特徴量検出部８は、記憶部１６に記憶された画像データを用いて、リサンプリングされた画像データを基づいて特徴量を検出する。
【００７７】
Ａ／Ｄ変換器２より出力されたデータは、同期処理部６、記憶部１６、選択部１７及び１８に入力される。記憶部１６は、Ａ／Ｄ変換器２でサンプリングされた画像データの一部、例えば１フレームや１ラインなど所定の期間の画像データを記憶する。
【００７８】
選択部１７は、まず、リサンプリングの周期及び位相の調整のため、記憶部１６に記憶された画像データを選択し、第一のデジタルフィルタ４に出力する。一方、選択部１８は、リサンプリングの周期及び位相の調整動作中、Ａ／Ｄ変換器２が出力する画像データを選択し表示部９に出力する。
【００７９】
第一のデジタルフィルタ４、位相制御部７、及び特徴量検出部８は、実施の形態１と同様に記憶部１６に記憶された画像データを用いて、最適なリサンプリングの周期Ｔ及び位相ｋを決定する。
【００８０】
最適なリサンプリングの周期Ｔ及び位相ｋが決定した後の表示動作期間中は、選択部１７は、Ａ／Ｄ変換器２が出力する画像データを選択し、第一のデジタルフィルタ４に出力する。第一のデジタルフィルタ４は、位相制御部５が出力する位相制御信号θ（ｎ）に基づいて、入力された画像データをリサンプリングする。選択部１８は、第一のデジタルフィルタ４が出力するリサンプリングされた画像データを選択し、表示部９に出力する。その他の動作については、実施の形態１と同様である。
【００８１】
以上説明したように構成することで、調整に必要な画像データは、記憶部１６に記憶されているので、入力される映像信号が随時変化しているような場合であっても正しく調整を行うことができる。
【００８２】
なお、隣接する画像の差分が大きい部分が含まれていれば、上記調整動作を行うことが可能であるので、記憶部１６にハイパスフィルターを設けて、画像の変化を検出し、例えば１フレームの期間の画像データのうち最大の差分を示した位置の画像を記憶することで、記憶される画像の量を最小限にとどめることも可能である。
【００８３】
実施の形態４．
図１３は、本発明の実施の形態４における画像表示装置の構成を示す図である。実施の形態４の画像表示装置は、図１に示される画像表示装置と概して同じであるが、図１の同期処理部５、及びクロック発生部３の代わりに、同期処理部１９、及びクロック発生部２０が用いられている。なお、同期処理部１９及びクロック発生部２０以外の構成は、実施の形態１と同様で、同一部分には、同じ符号が付されている。
【００８４】
図１３では、図１の画像表示装置に対して、同期処理部１９で同期信号の周期の計測を行い、計測された同期信号の周期を元に入力された映像信号のフォーマットを推定するように構成したものである。
【００８５】
Ａ／Ｄ変換部２でサンプリングされた映像信号は、第一のデジタルフィルタ４と同期処理部１９に入力される。同期処理部１９では、入力された同期信号の垂直周期、水平周期を計測し、計測結果を元に入力された映像信号のフォーマットを推定する。
【００８６】
一方、クロック発生部２０は、複数種類のサンプリングクロックの周波数を発生できるようになっており、同期処理部１９で推定した映像信号のフォーマットに基づいて入力された映像信号のドットクロックの１．５倍程度のサンプリングクロックになるように調整される。
【００８７】
このように同期処理部１９で推定した映像信号のフォーマットに基づいて、サンプリングクロックの調整を行うようにすることで、例えば入力される映像信号のドットクロックとして高い周波数から低い周波数まで種々の周波数のものが存在するような場合であっても適当なサンプリングクロックが設定される。
【００８８】
実施の形態１では、リサンプリング周期の設定動作において、位相制御部７にあらかじめ記憶されたリサンプリング周期を１番目（Ｔ１）から順に選択し、適したリサンプリング周期と判断されるまで順次特徴量を検出するように構成したが、図１３に示したとおり、映像信号の垂直周期と水平周期からフォーマットを推定することで、あらかじめ記憶しているリサンプリング周期の中から最も適していると思われるものを優先的に選択し、特徴量の検出を行うことができるようになるので、さらに短時間で調整動作を行うことができるようになる。
【００８９】
なお、図１３に示したクロック発生部２０は、クロックの周波数を複数種類発生できる場合について説明したが、実施の形態１と同様に１種類の周波数のクロックしか発生できなくてもよく、位相制御部７は、同期信号処理部１９で推定された映像信号のフォーマットに従ってあらかじめ記憶しているリサンプリング周期の中から最も適していると思われるものを優先的に選択し、特徴量の検出を行うことができるようになるので、短時間で調整動作を行うことができる。
【００９０】
実施の形態５．
図１４は、本発明の実施の形態５における画像表示装置の構成を示す図である。実施の形態５の画像表示装置は、図１に示される画像表示装置と概して同じであるが、記憶部２１、位相調整部２２、位相保持部２３及び第二のデジタルフィルタ２４が付加されており、表示部９は、第二のデジタルフィルタ２４の出力を受けて表示を行う。
位相調整部２２は、実施の形態１の位相制御部７と略同じ機能を有するものであるが、位相調整部２２と位相保持部２３とで、本実施の形態の位相制御部２５が構成されている。この位相制御部２５は、以下に説明するように、同期処理部５で求めた第一の位相Δと特徴量検出部８によって検出された第一のリサンプリング画像データの特徴量に基づいて第二のデジタルフィルタ２４のリサンプリングの位相制御を行う位相制御手段が構成されている。
【００９１】
なお、記憶部２１、位相制御部２５及び第二のデジタルフィルタ２４以外の構成は、実施の形態１と同様で、同一部分には、同じ符号が付されている。
【００９２】
入力端子１から同期信号及び画像信号で構成される映像信号が入力される。入力端子１に入力された映像信号は、Ａ／Ｄ変換器２に入力される。一方、クロック発生部３は、入力端子１に入力された映像信号をＡ／Ｄ変換器３でデジタルの画像データに変換するためのサンプリングクロックを発生する。
【００９３】
クロック発生部３が発生したサンプリングクロックは、Ａ／Ｄ変化部２に入力され、Ａ／Ｄ変換器２は、サンプリングクロックに基づいて入力された映像信号をデジタルの画像データに変換する。Ａ／Ｄ変換器２が出力する画像データは、記憶部２１、第二のデジタルフィルタ２４及び同期処理部５に入力される。
【００９４】
同期処理部５は、実施の形態１と同様に同期信号の分離と第一の位相Δを算出して、第一の位相Δを水平ＡＦＣ６に出力する。水平ＡＦＣ６も、実施の形態１と同様に、安定した第一の位相Δ’を位相制御部７に出力する。
【００９５】
一方、記憶部２１に入力された画像データは、Ａ／Ｄ変換器２でサンプリングされた画像データの一部、例えば１フレームや１ラインなど所定の期間のデータが記憶される。記憶される画像データとして、後述する画像の特徴量の検出に必要な隣接する画素の差分が大きい部分が含まれていることが必要であるので、記憶部２１にハイパスフィルターを設けて、画像の変化を検出し、例えば１フレームの期間の画像データのうち最大の差分を示した位置の画像を記憶することで、記憶される画像の量を最小限にとどめることも可能である。
【００９６】
記憶部２１に記憶された画像データは、第一のデジタルフィルタ４に入力される。以降、記憶部２１に記憶された画像データを用いて、特徴量検出部８及び位相調整部２２で順次画像の特徴量を検出、保持し、最適なリサンプリングの周期Ｔと位相ｋを求める。この動作は、実施の形態１と同様であるので詳細な説明は省略する。
【００９７】
位相調整部２２は、決定したリサンプリングの周期Ｔと位相ｋを位相保持部２３に出力する。位相保持部２３は、位相調整部２２が出力したリサンプリングの周期Ｔと位相ｋを用いて位相制御信号θ’（ｎ）を位相調整部２２と同様に算出し、第二のデジタルフィルタ２４に出力する。
【００９８】
第二のデジタルフィルタ２４は、位相保持部２３が出力する位相制御信号θ’（ｎ）に従って、Ａ／Ｄ変換部２が出力した画像データをリサンプリングして、表示部９に出力する。
【００９９】
表示部９は、第二のデジタルフィルタ２４でリサンプリングされた画像データを所定のタイミングで表示する。
【０１００】
以上説明したようにリサンプリングの周期Ｔと位相ｋは、検出された特徴量から決定される。このうちリサンプリング周期Ｔは画像のフォーマットで決まるが、位相ｋは、画像発生装置側の温度特性やＡ／Ｄ変換器２などの温度特性によっても最適な値が変化する。そのため、時間が経過するにつれて最適な位相が変化する場合もある。このように位相ｋを再調整する場合、位相保持部２３は、前回の調整時に決定したリサンプリングの周期Ｔと位相ｋに基づいて位相制御信号θ’（ｎ）を出力することで、再調整動作中も画像を表示し続けることができる。ここで表示される画像は、位相の再調整が必要なものの、大きな乱れが生じるものではなく、再調整のための特徴量を検出する場合のようにｋを０から順次変更していく場合に比べて、十分実用的な画像が表示されることになり、使用者は、再調整中であることを意識する必要が無くなる。
【０１０１】
なお、位相の再調整に当たって、記憶部２１は、新たに所定の期間の画像データを記憶し、位相ｋを順次変更して特徴量の検出を行い、最適な位相ｋを求める。位相調整部２２で求めた新たな位相ｋは、位相保持部２３に出力され、位相保持部２３は、新たな位相ｋに基づいて位相制御信号θ’（ｎ）を生成し、第二のデジタルフィルタ２４に出力する。以降の表示動作は、前述のとおりである。
【０１０２】
なお、位相の再調整の場合は、リサンプリング周期Ｔは変更する必要が無いので、リサンプリング周期Ｔに関する調整動作が不要であることは、言うまでも無い。
【０１０３】
以上説明したように構成することで、調整中であっても乱れのない映像を表示することができる。
【図面の簡単な説明】
【０１０４】
【図１】本発明の実施の形態１に係る画像表示装置を示すブロック図である。
【図２】第一の位相と同期信号の関係を示す図である。
【図３】各表示ラインにおける第一の位相とサンプリング位置の関係を示す図である。
【図４】デジタルフィルタの振幅特性を示す図である。
【図５】デジタルフィルタの遅延特性を示す図である。
【図６】図４及び図５の特性を示すためのフィルタ係数の一例を示す表である。
【図７】特徴量検出部の一例を示す図である。
【図８】（ａ）及び（ｂ）は、特徴量と移送の関係を示す図である。
【図９】本発明の実施の形態１に係る画像表示装置における処理手順を説明するフローチャートである。
【図１０】本発明の実施の形態１に係る画像表示装置における処理手順を説明するフローチャートである。
【図１１】本発明の実施の形態２に係る画像表示装置を示すブロック図である。
【図１２】本発明の実施の形態３に係る画像表示装置を示すブロック図である。
【図１３】本発明の実施の形態４に係る画像表示装置を示すブロック図である。
【図１４】本発明の実施の形態５に係る画像表示装置を示すブロック図である。
【符号の説明】
【０１０５】
１  入力端子、  ２  Ａ／Ｄ変換器、  ３  クロック発生部、  ４  第一のデジタルフィルタ、  ５  同期処理部、  ６  水平ＡＦＣ、  ７  位相制御部、  ８  特徴量検出部、  ９  表示部、  １０  最大差分演算器、  １１  最大値検出器、  １４  入力端子、  １５  Ａ／Ｄ変換器、  １６  記憶部、  １７，１８  選択部、  １９  同期処理部、  ２０  クロック発生部、  ２１  記憶部、  ２２  位相調整部、  ２３  位相保持部、  ２４  第二のデジタルフィルタ、  ２５  位相制御部。
【図１】
0004744212.tif 000002
【図２】
0004744212.tif 000003
【図３】
0004744212.tif 000004
【図４】
0004744212.tif 000005
【図５】
0004744212.tif 000006
【図６】
0004744212.tif 000007
【図７】
0004744212.tif 000008
【図８】
0004744212.tif 000009
【図９】
0004744212.tif 000010
【図１０】
0004744212.tif 000011
【図１１】
0004744212.tif 000012
【図１２】
0004744212.tif 000013
【図１３】
0004744212.tif 000014
【図１４】
0004744212.tif 000015